(57)【特許請求の範囲】
【請求項１】
身ごろ部の脇下部の上部と袖部の付け根部との間に立体構造の編み足し部を編成し、この編み足し部を介して身ごろ部と袖部とを連結すると共に、前記編み足し部が身ごろ部の脇下部の上部側に編成された第１編み足し部と、袖部の付け根部側に編成された第２編み足し部と、前記第1編み足し部と第２編み足し部との間に掛け渡されるように編成された第３編み足し部とを備えることを特徴とする無縫製ニットウエア。
【請求項２】
前記第１編み足し部、第２編み足し部および第３編み足し部はそれぞれがほぼ三角形状に形成され、各編み足し部の三角形の頂点を対角線の交点とした四角形の立体構造をなす請求項１記載の無縫製ニットウエア。
【請求項３】
身ごろ部と袖部とを同時に編成する無縫製ニットウエアの製造方法において、同時に編成された身ごろ部と袖部とを連結する際に、前記身ごろ部の脇下部の上部と袖部の付け根部との間に編み足し部を編成するための工程を設け、この編み足し部を編成する工程が、身ごろ部の脇下部の上部側および袖部の付け根部側にそれぞれ第１編み足し部および第２編み足し部を編成する第１工程と、前記第１編み足し部と第２編み足し部との間に第３編み足し部を掛け渡すように編成する第２工程とを備えることを特徴とする無縫製ニットウエアの製造方法。
【請求項４】
前記第１工程において、第１編み足し部および第２編み足し部は、それぞれが編成されたのち連結される請求項３記載の無縫製ニットウエアの製造方法。
【請求項５】
前記第２工程において、第３編み足し部を第１編み足し部と第２編み足し部との間に掛け渡すように編成したのち、身ごろ部の脇上部と袖部の肩部とを周回状に編成する工程に移る請求項３記載の無縫製ニットウエアの製造方法。
【発明の詳細な説明】
【技術分野】
【０００１】
本発明は、脇下部分にゆとりを持たせるようにした無縫製ニットウエア及びその製造方法に関する。
【背景技術】
【０００２】
無縫製ニットウエアとしては、肌着用としてのインナーウエアや防寒用としてのアウターウエアなどが市場に出回っている。これらの無縫製ニットウエアは、一般にニット横編み機によって製造され、身ごろ部と袖部とが別々の編針を使って同時に編成されるものである。
【０００３】
しかしながら、上記従来の無縫製ニットウエアにあっては、図９及び図１０に示したように、身ごろ部２０の脇下部２１の上部２１ａと袖部２２の付け根部２３とが直接に連結しているために、脇下部分に空間的なゆとりがない。そのために、腕を上げたり大きく動かした時に脇下部分が窮屈に感じられると同時に、脇腹付近でウエアが持ち上がってしまい、インナーウエアの場合には外に飛び出してしまうおそれがあった。そこで、従来にあっては脇下部分にゆとりを持たせる手段として、通常より少し大きめのニットウエアを着用することで対応しているが、この場合にはニットウエアが身体にフィットしないために、特に、女性用のインナーウエアにおいて問題が残り、この点の改良を求める声が大きかった。
【発明の開示】
【発明が解決しようとする課題】
【０００４】
そこで、本発明の目的は、ニットウエアの脇下部分に空間的なゆとりを持たせるようにして、腕を上げたり大きく動かした時でも脇下部分が窮屈に感じられないようにすると共に、ニットウエアの脇腹付近が持ち上がらないような無縫製ニットウエア及びその製造方法を提供することである。
【課題を解決するための手段】
【０００５】
上記課題を解決するために、本発明に係る無縫製ニットウエアは、身ごろ部の脇下部の上部と袖部の付け根部との間に立体構造の編み足し部を編成し、この編み足し部を介して身ごろ部と袖部とを連結すると共に、前記編み足し部が身ごろ部の脇下部の上部側に編成された第１編み足し部と、袖部の付け根部側に編成された第２編み足し部と、前記第1編み足し部と第２編み足し部との間に掛け渡されるように編成された第３編み足し部とを備えることを特徴とする。
【０００６】
また、本発明に係る無縫製ニットウエアの製造方法は、身ごろ部と袖部とを同時に編成する無縫製ニットウエアの製造方法において、同時に編成された身ごろ部と袖部とを連結する際に、前記身ごろ部の脇下部の上部と袖部の付け根部との間に編み足し部を編成するための工程を設け、この編み足し部を編成する工程が、身ごろ部の脇下部の上部側および袖部の付け根部側にそれぞれ第１編み足し部および第２編み足し部を編成する第１工程と、前記第１編み足し部と第２編み足し部との間に第３編み足し部を掛け渡すように編成する第２工程とを備えることを特徴とする。
【０００７】
本発明に係る無縫製ニットウエア及びその製造方法は、ニット製のインナーウエアのみならずアウターウエアにも適用されることは勿論のこと、カーディガンのように前開きで襟のないウエアにも適用される。また、長袖又は半袖のニットウエアに適用される。
【発明の効果】
【０００８】
本発明に係る無縫製ニットウエアは、身ごろ部の脇下部の上部と袖部の付け根部との間に立体構造の編み足し部を編成したので、脇下部分に空間的なゆとりを持たせることができる。その結果、腕を上げたり大きく動かした時でも脇下部分が窮屈に感じられないと共にニットウエアの脇腹付近が持ち上がることもない。このように、脇下部分にゆとりを持たせたことで身体にフィットしたニットウエアを着用できるので、特に女性用のインナーウエアにおいては実用面での利用価値が大きい。
【０００９】
本発明に係る無縫製ニットウエアの製造方法では、立体構造からなる編み足し部の編成工程を、従来の無縫製ニットウエアを製造する一連の編成工程の途中に割り込ませるだけで簡易に実現することができる。
【発明を実施するための最良の形態】
【００１０】
以下、添付図面に基づいて本発明に係る無縫製ニットウエアの実施形態を詳細に説明する。図１乃至図８に示される実施形態は、本発明をインナーウエア１に適用した場合の例であるが、本発明がセーターやカーディガンなどのアウターウエアにも適用できることは勿論である。
【００１１】
この実施形態におけるインナーウエア１には、図１及び図２に示されるように、身ごろ部２と袖部４とで構成される。身ごろ部２は便宜的に分けた脇下境界線Ａより下側の脇下部３と、それより上側の脇上部４とで構成され、袖部４は付け根境界線Ｂより袖口１２までの部分と、それより上側の肩部１４までの部分とで構成される。なお、肩部１４を身ごろ部２に含めて呼ぶ場合や、身ごろ部２及び袖部４とは独立したものとして呼ぶこともある。
【００１２】
この実施形態では、上記身ごろ部２の脇下部３の上部３ａ（前記脇下境界線Ａに相当する位置）と袖部４の付け根部５（前記付け根境界線Ｂに相当する位置）との間に立体構造からなる編み足し部６が形成されている。この編み足し部６は、例えば図３及び図４に示したように、メリヤス編みによって周回編成される身ごろ部２の脇下部３の上部３ａと袖部４の付け根部５とに、それぞれ編み足された三角形状の第１編み足し部７と第２編み足し部８とを含む。従来であれば、図９及び図１０に示されるように、メリヤス編みによって周回編成される身ごろ部２０の脇下部２１において、その上部２１ａと袖部２２の付け根部２３を直接連結してしまうのに対して、この実施形態では、前記第１編み足し部７と第２編み足し部８の三角形の頂部１３同士を連結し、連結した第１編み足し部７及び第２編み足し部８を介して身ごろ２の脇下部３と袖部４とを連結する構成となっているので、脇下部分に空間的なゆとりを持たせることができる。この実施形態では、図５及び図６に示したように、前記第１編み足し部７と第２編み足し部８との間に掛け渡すように編み足された三角形状の第３編み足し部１０ａ，１０ｂも編み足し部６の一部に含まれる。この第３編み足し部１０ａ，１０ｂを前記第１編み足し部７及び第２編み足し部８に編み足すことによって、編み足し部６が四角形状の立体構造として形成される。
【００１３】
前記編み足し部６は、具体的には、身ごろ部２の脇下部３側に形成される第１編み足し部７と、袖部４の付け根部５側に形成される第２編み足し部８と、前記第１編み足し部７と第２編み足し部８との間をつなぐ一対の第３編み足し部１０ａ，１０ｂとからなる。この実施形態において、前記第１編み足し部７、第２編み足し部８および一対の第３編み足し部１０ａ，１０ｂは、前述したように、それぞれがほぼ三角形状に編成されており、４つの三角形の頂点を対角線の交点とした四角形の立体構造を作っている。このような立体構造からなる編み足し部６を介して身ごろ部２と袖部４とが連結されることで、脇下部分に空間的なゆとりができることになり、腕を上げたり大きく動かしても、その動き幅を編み足し部６で吸収して動きに余裕ができるために、脇下部分が窮屈に感じられない。
【００１４】
次に、上記インナーウエア１の製造方法を説明する。この種の無縫製インナーウエア１は、例えばニット横編み機によって製造することができ、身ごろ部２の脇下部３と袖部４の付け根部５までが分離した状態で同時に編成される。図１に示されるように、具体的には身ごろ部２は下端部１１から編み始め、一方袖部４は袖口１２から編み始める。身ごろ部２は下端部１１から周回状に編成して前身ごろと後身ごろを筒状に形成する。一方、袖部４の方も袖口１２の方から周回状に編成して筒状に形成する。ここまでの編成工程は従来と変わるところがなく、身ごろ部２の脇下部３の上部３ａまでと袖部４の付け根部５までをそれぞれメリヤス編みによって周回編成していく。
【００１５】
本発明の特徴はこの後の編成工程にある。この編成工程は、前記第１編み足し部７及び第２編み足し部８を編成する第１工程と、この第１工程の後に第３編み足し部１０ａ，１０ｂを編成する第２工程とからなる。第１工程は、身ごろ部２の脇下部３の上部３ａまでの編成および袖部４の付け根５までの編成を終了した後に設定され、図３及び図４に示したように、身ごろ部２の脇下部３の上部３ａに三角形状の第１編み足し部７を編み足す工程と、袖部４の付け根部５にも前記第１編み足し部７と同じ形状の第２編み足し部８を編み足す工程とからなる。第１編み足し部７は、図４に示すように、脇下部３の上部３ａにおいて左右方向の往復編みによって編み目を作りながら三角形状に編み足して形成されるものであり、前記第２編み出し部８も第１編み足し部７と同様に手段で三角形状に編み足される。これら編み足された第１編み足し部７及び第２編み足し部８の頂部１３を連結することによって、分離した状態で編成されてきた身ごろ部２と袖部４とを連結する。
【００１６】
第２工程は、上記第１編み足し部７と第２編み足し部８との連結後に、第３編み足し部１０ａ，１０ｂを編み足して、立体構造からなる四角形の編み足し部６を形成する工程からなる。この工程では、図５及び図６に示したように、第１編み足し部７と第２編み足し部８とを連結している頂部１３から編み始め、第１編み足し部７と第２編み足し部８との間を左右方向に往復編みしながら底辺に向かって編み進んで、三角形状の第３編み足し部１０ａ，１０ｂを編成する。左右方向に往復編みしながら第１編み足し部７の斜辺７ａ，７ｂ及び第２編み足し部８の斜辺８ａ，８ｂの編み目と連結されることで、第１編み足し部７及び第２編み足し部８と一体的に連結され、連結後は立体構造からなる四角形の編み足し部６が形成されることになる。なお、前記一対の第３編み足し部１０ａ，１０ｂは、頂部１３からそれぞれ反対側に向かって編み進むことで、前身ごろ側と後身ごろ側に同時に形成することができる。
【００１７】
前記第１工程及び第２工程によって編み足し部６を編成した後は、図７及び図８に示すように、身ごろ部２の脇上部９及び袖部４の上側部分である肩部１４を編成する工程に移る。この工程は従来と同様の周回編成となるが、前記第２工程において第３編み足し部１０ａ，１０ｂを編成しているので、第３編み足し部１０ａ，１０ｂの編成が終了したら、そのまま連続して脇上部９及び肩部１４を周回編成に移ることができる。脇上部９及び肩部１４の編成を終え、最後に首周り１５を編成することによってインナーウエア１の製造が完了する。
【図面の簡単な説明】
【００１８】
【図１】本発明に係る無縫製ニットウエアの半身形状を示す正面図である。
【図２】図１における無縫製ニットウエアの脇下部分を下方から見た図である。
【図３】身ごろ部の脇下部と袖部の付け根部との間に形成される第１、第２編み足し部を示す斜視図である。
【図４】前記図３における第１、第２編み足し部を編み目によって示した説明図である。
【図５】前記第１、第２編み足し部に第３編み足し部を編み足した工程を示す斜視図である。
【図６】編み足し部の全体形状を編み目によって示した説明図である。
【図７】身ごろ部の脇上部及び肩部が周回編成される工程を示す斜視図である。
【図８】前記周回編成される工程を編み目によって示した説明図である。
【図９】従来における身ごろ部の脇下部と袖部の付け根部との連結状態を示す斜視図である。
【図１０】前記身ごろ部と袖部との連結状態を編み目によって示した説明図である。
【符号の説明】
【００１９】
１  インナーウエア
２  身ごろ部
３  脇下部
３ａ  脇下部の上部
４  袖部
５  付け根部
６  編み足し部
７  第１編み足し部
８  第２編み足し部
９  脇上部
１０ａ，１０ｂ  第３編み足し部
１４  肩部
【要約】
【課題】  ニットウエアの脇下部分に空間的なゆとりを持たせるようにして、腕を上げた時などに脇下部分が窮屈に感じられないようにすると共に、ニットウエアの脇腹付近が持ち上がらないような無縫製ニットウエアを提供することである。
【解決手段】  身ごろ部２の脇下部３の上部３ａと袖部４の付け根部５との間に立体構造の編み足し部６を編成し、この編み足し部６を介して身ごろ部２と袖部４とを連結したことを特徴とする。
【選択図】      図１
【図１】
0003677277.tif 000002
【図２】
0003677277.tif 000003
【図３】
0003677277.tif 000004
【図４】
0003677277.tif 000005
【図５】
0003677277.tif 000006
【図６】
0003677277.tif 000007
【図７】
0003677277.tif 000008
【図８】
0003677277.tif 000009
【図９】
0003677277.tif 000010
【図１０】
0003677277.tif 000011